(57)【特許請求の範囲】
【請求項１】
略水平状態の基板を第１速度で回転させながら処理液を用いて前記基板表面に対して湿式処理を施す湿式処理工程と、
前記基板の回転速度を第２速度に減速して前記基板上に前記処理液の液膜をパドル状に形成するパドル形成工程と、
回転している前記基板上の液膜に対し、前記処理液よりも表面張力が低い低表面張力溶剤を所定量供給した後該低表面張力溶剤の供給を停止する溶剤供給工程と、
前記溶剤供給工程後に、前記低表面張力溶剤を供給せずに前記溶剤供給工程における前記基板の回転速度よりも高い回転速度で前記基板を回転させることで前記基板上の液体を攪拌する攪拌工程と、
前記攪拌工程後に、前記低表面張力溶剤を前記基板表面に供給しながら前記基板を回転させることで前記基板上の液体を前記低表面張力溶剤により置換する置換工程と、
前記置換工程後に前記低表面張力溶剤を前記基板表面から除去して該基板表面を乾燥させる乾燥工程と
を備えたことを特徴とする基板処理方法。
【請求項２】
前記攪拌工程から前記置換工程に移行する際には前記攪拌工程における前記基板の回転速度を維持し、その後に前記基板の回転速度を高くする請求項１に記載の基板処理方法。
【請求項３】
前記攪拌工程では、前記基板の回転速度の加速と減速とを交互に行う請求項１に記載の基板処理方法。
【請求項４】
前記攪拌工程では、前記基板の回転速度を前記第２速度よりも高くする請求項１ないし３のいずれかに記載の基板処理方法。
【請求項５】
前記溶剤供給工程では、前記基板を前記第２速度で回転させる請求項１ないし４のいずれかに記載の基板処理方法。
【請求項６】
前記攪拌工程において液膜に覆われていた基板表面が露出するよりも前に、前記置換工程における前記低表面張力溶剤の供給を開始する請求項１ないし５のいずれかに記載の基板処理方法。
【請求項７】
前記湿式処理工程前に、前記基板表面を疎水化する疎水化処理工程を備えるとともに、
前記湿式処理工程では、水を主成分とする前記処理液としてのリンス液により前記基板表面をリンスするリンス処理を行う請求項１ないし６のいずれかに記載の基板処理方法。
【請求項８】
基板を略水平姿勢で保持する基板保持手段と、
前記基板保持手段に保持された基板を所定の回転軸回りに回転させる基板回転手段と、
前記基板保持手段に保持された前記基板の表面に、前記基板に湿式処理を施すための処理液を供給する処理液供給手段と、
前記湿式処理後の前記基板の表面中央部に、前記処理液よりも表面張力が低い低表面張力溶剤を供給する溶剤供給手段と、
前記溶剤供給手段による前記基板表面への前記低表面張力溶剤の供給を制御する制御手段と
を備え、
前記基板回転手段は、前記湿式処理後に前記基板の回転速度を前記湿式処理時よりも減速させることで前記基板上に前記処理液の液膜をパドル状に形成する一方、
前記制御手段は、回転している前記基板上の前記処理液の液膜に対し所定量の前記低表面張力溶剤を供給した後その供給を停止し、所定時間の経過後に前記低表面張力溶剤の供給を再開して前記基板上の液体を前記低表面張力溶剤により置換させ、
前記基板回転手段は、前記低表面張力溶剤の供給が停止されると前記基板の回転速度を高くして前記低表面張力溶剤の供給が再開されるまで前記基板上の液体を攪拌する
ことを特徴とする基板処理装置。
【発明の詳細な説明】
【技術分野】
【０００１】
この発明は、基板表面に処理液を供給して該基板表面に対して所定の湿式処理を施した後、処理液で濡れた基板表面に低表面張力溶剤を供給して処理液を置換する基板処理方法および基板処理装置に関するものである。なお、処理対象となる基板には、半導体ウエハ、フォトマスク用ガラス基板、液晶表示用ガラス基板、プラズマ表示用ガラス基板、ＦＥＤ（電界放出ディスプレイ：Field Emission Display）用基板、光ディスク用基板、磁気ディスク用基板、光磁気ディスク用基板等が含まれる。
【背景技術】
【０００２】
薬液による薬液処理および純水などのリンス液によるリンス処理が行われた後、基板表面に付着するリンス液を除去する方法の１つとして、純水よりも表面張力が低いＩＰＡ（イソプロピルアルコール：isopropyl alcohol）などの有機溶剤成分を含む液体（低表面張力溶剤）を用いた処理方法が知られている。例えば、特許文献１には、純水リンス処理後に基板の回転速度をパドル処理回転速度まで減速してから純水の供給を停止し、その後に基板にＩＰＡなどの有機溶剤を供給して純水を置換させ、さらに基板の回転速度を大きくして有機溶剤を振り切り基板を乾燥させる技術が記載されている。
【０００３】
【特許文献１】特開２００６−１４０２８５号公報（図４、図５）
【発明の開示】
【発明が解決しようとする課題】
【０００４】
上記した特許文献１に記載の技術では、基板をパドル処理回転速度に維持しながら低表面張力溶剤の供給を行っているが、低表面張力溶剤がリンス液によるパドル状の液膜中に広く拡散しその表面張力を低下させる作用を発揮させるにはある程度の時間が必要である。特に、処理対象である基板がその表面に微細パターンを形成されたものであるとき、基板全面においてパターン内部まで低表面張力溶剤を行き渡らせるには相当（例えば１０秒以上）の時間が必要である。この間、低表面張力溶剤の供給を継続するとその使用量が増大してしまう。
【０００５】
この発明は上記課題に鑑みなされたものであり、基板表面の処理液をＩＰＡなどの低表面張力溶剤に置換させる基板処理方法および基板処理装置において、少ない低表面張力溶剤の使用量で処理液を効率よく確実に置換することのできる技術を提供することを目的とする。
【課題を解決するための手段】
【０００６】
この発明にかかる基板処理方法は、上記目的を達成するため、略水平状態の基板を第１速度で回転させながら処理液を用いて基板表面に対して湿式処理を施す湿式処理工程と、基板の回転速度を第２速度に減速して基板上に処理液の液膜をパドル状に形成するパドル形成工程と、回転している基板上の液膜に対し、処理液よりも表面張力が低い低表面張力溶剤を所定量供給した後該低表面張力溶剤の供給を停止する溶剤供給工程と、溶剤供給工程後に、低表面張力溶剤を供給せずに溶剤供給工程における基板の回転速度よりも高い回転速度で基板を回転させることで基板上の液体を攪拌する攪拌工程と、攪拌工程後に、低表面張力溶剤を基板表面に供給しながら基板を回転させることで基板上の液体を低表面張力溶剤により置換する置換工程と、置換工程後に低表面張力溶剤を基板表面から除去して該基板表面を乾燥させる乾燥工程とを備えたことを特徴としている。
【０００７】
また、この発明にかかる基板処理装置は、上記目的を達成するため、基板を略水平姿勢で保持する基板保持手段と、基板保持手段に保持された基板を所定の回転軸回りに回転させる基板回転手段と、基板保持手段に保持された基板の表面に、基板に湿式処理を施すための処理液を供給する処理液供給手段と、湿式処理後の基板の表面中央部に、処理液よりも表面張力が低い低表面張力溶剤を供給する溶剤供給手段と、溶剤供給手段による基板表面への低表面張力溶剤の供給を制御する制御手段とを備え、基板回転手段は、湿式処理後に基板の回転速度を湿式処理時よりも減速させることで基板上に処理液の液膜をパドル状に形成する一方、制御手段は、回転している基板上の処理液の液膜に対し所定量の低表面張力溶剤を供給した後その供給を停止し、所定時間の経過後に低表面張力溶剤の供給を再開して基板上の液体を低表面張力溶剤により置換させ、基板回転手段は、低表面張力溶剤の供給が停止されると基板の回転速度を高くして低表面張力溶剤の供給が再開されるまで基板上の液体を攪拌することを特徴としている。
【０００８】
このように構成された発明では、基板上に処理液によるパドル状の液膜を形成し、液膜に所定量の低表面張力溶剤を加えた後いったん低表面張力溶剤の供給を停止する。そして、この状態で基板を回転させることで基板上の液膜を攪拌し、基板上の処理液への低表面張力溶剤の拡散を促進させる。その後に低表面張力溶剤の供給を再開し基板上の液体を低表面張力溶剤により置換する。このように、基板上の液膜に低表面張力溶剤を加えた後、低表面張力溶剤を供給せずに基板を回転させる期間を設けることにより、低表面張力溶剤が基板の全面に行き渡るまでの間の低表面張力溶剤の使用量を抑制することができる。また、こうして低表面張力溶剤を基板表面各部に行き渡らせ基板上の液体の表面張力を処理液だけの場合よりも低下させた状態で低表面張力溶剤の供給を再開するので、その後の低表面張力溶剤の拡散がスムーズに行われて、処理液の置換を効率よく行うことができる。特に、基板表面にパターンが形成されている場合でも、その細部まで確実に低表面張力溶剤による置換を行うことができる。
【０００９】
上記のように構成された基板処理方法において、前記攪拌工程では、前記基板の回転速度を前記第２速度より高くしてもよい。回転速度を高めることにより、基板上での低表面張力溶剤の拡散をより促進させることができる。また、基板上の処理液による液膜に予め低表面張力溶剤を添加しているので、回転速度を高めた際に基板上の液膜が壊れ基板表面が露出するのを防止することが可能である。
【００１０】
また、前記溶剤供給工程では、前記基板を前記第２速度で回転させるようにしてもよい。パドル状の液膜を形成する際の回転速度を維持したまま低表面張力溶剤を液膜に添加することによって、低表面張力溶剤が基板全面に行き渡るよりも前に処理液が振り切られ基板表面が露出することを防止することができる。また前工程と同じ回転速度を維持することにより、制御が簡単になる。
【００１１】
また、前記攪拌工程において液膜に覆われていた基板表面が露出するよりも前に、前記置換工程における前記低表面張力溶剤の供給を開始することが望ましい。基板に液体を供給しない状態で基板を回転させ続けることにより基板上の液膜の厚さは減少し、やがては液膜の連続性が途切れて基板表面が露出してしまう。このような状態となる前に低表面張力溶剤の供給を開始することで、基板表面の不均一な乾燥によるウォーターマークやシミ等の発生を防止することができる。
【００１２】
また、前記湿式処理工程前に、前記基板表面を疎水化する疎水化処理工程を備えるとともに、前記湿式処理工程では、水を主成分とする前記処理液としてのリンス液により前記基板表面をリンスするリンス処理を行うようにしてもよい。パドル状のリンス液膜を基板上に形成し、これを低表面張力溶剤に置換して乾燥させるという処理は、表面が疎水化された基板を処理対象とする場合に特に有効である。そして、このような処理を行う際に本発明を適用することにより、少ない低表面張力溶剤の使用量で、また短い処理時間で、欠陥を発生させることなく基板を乾燥させることができる。
【００１３】
なお、本発明に用いられる「低表面張力溶剤」としては、１００％の有機溶剤成分やこれと純水との混合液を用いることができる。また、低表面張力溶剤として有機溶剤成分を含む溶剤に替えて、界面活性剤を必須的に含む溶剤を用いてもよい。ここで、「有機溶剤成分」としてはアルコール系有機溶剤を用いることができる。アルコール系有機溶剤としては、安全性、価格等の観点からイソプロピルアルコール、エチルアルコールまたはメチルアルコールを用いることができるが、特にイソプロピルアルコール（ＩＰＡ）が好適である。
【発明の効果】
【００１４】
この発明によれば、基板上にパドル上の処理液の液膜を形成した後、所定量の低表面張力溶剤を液膜に供給し、低表面張力溶剤を供給しない状態で基板を回転させることによって、低表面張力溶剤を基板各部に行き渡らせる。低表面張力溶剤を供給せずに基板を回転させる期間を設けることにより、低表面張力溶剤を連続的に供給する方法に比べて低表面張力溶剤の使用量を少なくすることができる。また、低表面張力溶剤の添加により基板上の液体の表面張力を処理液だけの場合よりも低下させた状態で低表面張力溶剤の供給を再開するので、その後の低表面張力溶剤の拡散がスムーズに行われて、処理液の置換を効率よく行うことができる。特に、基板表面にパターンが形成されている場合でも、その細部まで確実に低表面張力溶剤による置換を行うことができる。
【発明を実施するための最良の形態】
【００１５】
図１はこの発明にかかる基板処理装置の一実施形態を示す図である。また、図２は図１の基板処理装置の主要な制御構成を示すブロック図である。この基板処理装置は半導体ウエハ等の基板Ｗの表面Ｗfに付着している不要物を除去するための洗浄処理に用いられる枚葉式の基板処理装置である。より具体的には、基板表面Ｗfに対してフッ酸などの薬液による薬液処理および純水やＤＩＷ（脱イオン水：deionized water）などのリンス液によるリンス処理を施した後、リンス液で濡れた基板表面Ｗfを乾燥させる装置である。なお、この実施形態では、基板表面Ｗfとはｐｏｌｙ−Ｓｉ等からなるデバイスパターンが形成されたパターン形成面をいう。
【００１６】
この基板処理装置は、基板表面Ｗfを上方に向けた状態で基板Ｗを略水平姿勢に保持して回転させるスピンチャック１と、スピンチャック１に保持された基板Ｗの表面Ｗfに向けて薬液を吐出する薬液吐出ノズル３と、スピンチャック１の上方位置に配置に配置された遮断部材９とを備えている。
【００１７】
スピンチャック１は、回転支軸１１がモータを含むチャック回転機構１３の回転軸に連結されており、チャック回転機構１３の駆動により回転軸Ｊ（鉛直軸）回りに回転可能となっている。これら回転支軸１１、チャック回転機構１３は、円筒状のケーシング２内に収容されている。回転支軸１１の上端部には、円盤状のスピンベース１５が一体的にネジなどの締結部品によって連結されている。したがって、装置全体を制御する制御ユニット４からの動作指令に応じてチャック回転機構１３を駆動させることによりスピンベース１５が回転軸Ｊ回りに回転する。このように、この実施形態では、チャック回転機構１３が本発明の「基板回転手段」として機能する。また、制御ユニット４はチャック回転機構１３を制御して回転速度を調整する。
【００１８】
スピンベース１５の周縁部付近には、基板Ｗの周縁部を把持するための複数個のチャックピン１７が立設されている。チャックピン１７は、円形の基板Ｗを確実に保持するために３個以上設けてあればよく、スピンベース１５の周縁部に沿って等角度間隔で配置されている。チャックピン１７のそれぞれは、基板Ｗの周縁部を下方から支持する基板支持部と、基板支持部に支持された基板Ｗの外周端面を押圧して基板Ｗを保持する基板保持部とを備えている。各チャックピン１７は、基板保持部が基板Ｗの外周端面を押圧する押圧状態と、基板保持部が基板Ｗの外周端面から離れる解放状態との間を切り替え可能に構成されている。
【００１９】
スピンベース１５に対して基板Ｗが受渡しされる際には、複数個のチャックピン１７を解放状態とし、基板Ｗに対して洗浄処理を行う際には、複数個のチャックピン１７を押圧状態とする。押圧状態とすることによって、複数個のチャックピン１７は基板Ｗの周縁部を把持してその基板Ｗをスピンベース１５から所定間隔を隔てて略水平姿勢に保持することができる。これにより、基板Ｗはその表面（パターン形成面）Ｗfを上方に向け、裏面Ｗｂを下方に向けた状態で支持される。このように、この実施形態では、チャックピン１７が本発明の「基板保持手段」として機能する。なお、基板保持手段としてはチャックピン１７に限らず、基板裏面Ｗｂを吸引して基板Ｗを支持する真空チャックを用いてもよい。
【００２０】
薬液吐出ノズル３は、薬液バルブ３１を介して薬液供給源と接続されている。このため、制御ユニット４からの制御指令に基づいて薬液バルブ３１が開閉されると、薬液供給源から薬液が薬液吐出ノズル３に向けて圧送され、薬液吐出ノズル３から薬液が吐出される。なお、薬液にはフッ酸またはＢＨＦ（バッファードフッ酸）などが用いられる。また、薬液吐出ノズル３にはノズル移動機構３３（図２）が接続されており、制御ユニット４からの動作指令に応じてノズル移動機構３３が駆動されることで、薬液吐出ノズル３を基板Ｗの回転中心の上方の吐出位置と吐出位置から側方に退避した待機位置との間で往復移動させることができる。
【００２１】
遮断部材９は、板状部材９０と、内部が中空に仕上げられ、板状部材９０を支持する回転支軸９１と、回転支軸９１の中空部に挿通された内挿軸９５とを有している。板状部材９０は、中心部に開口部を有する円盤状の部材であって、スピンチャック１に保持された基板Ｗの表面Ｗfに対向配置されている。板状部材９０は、その下面（底面）９０ａが基板表面Ｗfと略平行に対向する基板対向面となっており、その平面サイズは基板Ｗの直径と同等以上の大きさに形成されている。板状部材９０は略円筒形状を有する回転支軸９１の下端部に略水平に取り付けられ、回転支軸９１は水平方向に延びるアーム９２により基板Ｗの中心を通る回転軸Ｊ回りに回転可能に保持されている。内挿軸９５の外周面と回転支軸９１の内周面との間にはベアリング（図示せず）が介在して取り付けられている。アーム９２には、遮断部材回転機構９３と遮断部材昇降機構９４が接続されている。
【００２２】
遮断部材回転機構９３は、制御ユニット４からの動作指令に応じて回転支軸９１を回転軸Ｊ回りに回転させる。回転支軸９１が回転させられると、板状部材９０が回転支軸９１とともに一体的に回転する。遮断部材回転機構９３は、スピンチャック１に保持された基板Ｗの回転に応じて基板Ｗと同じ回転方向でかつ略同じ回転速度で板状部材９０（下面９０ａ）を回転させるように構成されている。
【００２３】
また、遮断部材昇降機構９４は、制御ユニット４からの動作指令に応じて遮断部材９をスピンベース１５に近接して対向させたり、逆に離間させることが可能となっている。具体的には、制御ユニット４は遮断部材昇降機構９４を作動させることで、基板処理装置に対して基板Ｗを搬入出させる際には、スピンチャック１の上方の離間位置に遮断部材９を上昇させる。その一方で、基板Ｗに対して所定の処理を施す際には、スピンチャック１に保持された基板Ｗの表面Ｗfのごく近傍に設定された所定の対向位置（図１に示す位置）まで遮断部材９を下降させる。この実施形態では、リンス処理が開始されてから遮断部材９を離間位置から対向位置に下降させ、乾燥処理が完了するまで継続して遮断部材９を対向位置に位置させる。
【００２４】
図３は図１の基板処理装置に装備された遮断部材の要部を示す縦断面図である。また、図４は図３のＡ―Ａ’線断面図（横断面図）である。回転支軸９１の中空部に内挿された内挿軸９５は、横断面が円形に形成されている。これは、内挿軸９５（非回転側部材）と回転支軸９１（回転側部材）との隙間の間隔を全周にわたって均等にするためであり、該隙間にシールガスを導入することで内挿軸９５と回転支軸９１との隙間を外部からシールされた状態としている。内挿軸９５には３本の流体供給路が鉛直軸方向に延びるように形成されている。すなわち、リンス液の通路となるリンス液供給路９６、リンス液に溶解して表面張力を低下させる有機溶媒成分を有する低表面張力溶剤の通路となる溶剤供給路９７および窒素ガス等の不活性ガスの通路となるガス供給路９８が内挿軸９５に形成されている。リンス液供給路９６、溶剤供給路９７およびガス供給路９８はＰＴＦＥ（ポリテトラフルオロエチレン：polytetrafluoroethylene）からなる内挿軸９５にそれぞれ、ＰＦＡ（テトラフルオロエチレン・パーフルオロアルキルビニルエーテル共重合樹脂：polymer of tetrafluoroethylene and perfluoroalkylvinylether）製のチューブ９６ｂ，９７ｂ，９８ｂを軸方向に挿入することによって形成されている。
【００２５】
そして、リンス液供給路９６、溶剤供給路９７およびガス供給路９８の下端がそれぞれ、リンス液吐出口９６ａ、溶剤吐出口９７ａおよびガス吐出口９８ａとなってスピンチャック１に保持された基板Ｗの表面Ｗfと対向している。この実施形態では、内挿軸の直径が１８〜２０ｍｍに形成されている。また、リンス液吐出口９６ａ、溶剤吐出口９７ａおよびガス吐出口９８ａの口径がそれぞれ、４ｍｍ、１〜２ｍｍ、４ｍｍに形成されている。このように、この実施形態では、溶剤吐出口９７ａの口径がリンス液吐出口９６ａの口径よりも小さくなっている。これにより、以下に示す不具合を防止できる。すなわち、低表面張力溶剤はリンス液（ＤＩＷ）に比較して表面張力が低くなっている。このため、リンス液吐出用に形成された口径と同一口径の溶剤吐出口から低表面張力溶剤を吐出させた場合には、低表面張力溶剤の吐出停止後、低表面張力溶剤が溶剤吐出口から落下するおそれがある。一方で、溶剤吐出用に形成された口径と同一口径のリンス液吐出口からリンス液を吐出させた場合には、リンス液の吐出速度が速くなってしまう。その結果、電気的絶縁体であるリンス液（ＤＩＷ）が基板表面Ｗfに比較的高速で衝突することにより、リンス液が直接に供給された基板表面Ｗfの供給部位が帯電して酸化するおそれがある。
【００２６】
これに対して、この実施形態では、低表面張力溶剤とリンス液の吐出口を個別に設けるとともに、溶剤吐出口９７ａの口径をリンス液吐出口９６ａの口径よりも小さく形成している。このため、溶剤吐出口から低表面張力溶剤が落下するのを防止するとともに、リンス液吐出口からのリンス液の吐出速度が速くなるのを抑え、基板表面Ｗfの帯電による酸化を抑制することができる。
【００２７】
また、この実施形態では、リンス液吐出口９６ａが遮断部材９の中心軸、つまり基板Ｗの回転軸Ｊから径方向外側にずれた位置に設けられている。これにより、リンス液吐出口９６ａから吐出されたリンス液が基板表面Ｗfの一点（基板Ｗの回転中心Ｗ０）に集中して供給されるのが回避される。その結果、基板表面Ｗfの帯電部位を分散させることができ、基板Ｗの帯電による酸化を低減することができる。その一方で、リンス液吐出口９６ａが回転軸Ｊから離れ過ぎると、基板表面Ｗf上の回転中心Ｗ０にリンス液を到達させることが困難となってしまう。そこで、この実施形態では、水平方向における回転軸Ｊからリンス液吐出口９６ａ（吐出口中心）までの距離Ｌを４ｍｍ程度に設定している。ここで、基板表面Ｗf上の回転中心Ｗ０にリンス液（ＤＩＷ）を供給し得る距離Ｌの上限値としては、以下に示す条件で２０ｍｍとなっている。
【００２８】
ＤＩＷの流量：２Ｌ／ｍｉｎ
基板回転数：１５００ｒｐｍ
基板表面の状態：表面中央部が疎水面
また、回転軸Ｊから溶剤吐出口９７ａ（吐出口中心）までの距離の上限値についても、基板回転数を１５００ｒｐｍに設定する限り、上記した回転軸Ｊからリンス液吐出口９６ａ（吐出口中心）までの距離Ｌの上限値（２０ｍｍ）と基本的に同じである。
【００２９】
一方で、回転軸Ｊからガス吐出口９８ａ（吐出口中心）までの距離については、対向位置に位置決めされた遮断部材９（板状部材９０）と基板表面Ｗfとの間に形成される間隙空間ＳＰに窒素ガスを供給し得る限り、特に限定されず任意である。しかしながら、後述するようにして基板表面Ｗf上に形成された低表面張力溶剤による溶剤層に窒素ガスを吹付けて該溶剤層を基板Ｗから排出させる観点からは、ガス吐出口９８ａは回転軸Ｊ上あるいはその近傍位置に設けることが好ましい。
【００３０】
また、回転支軸９１の内壁面と内挿軸９５の外壁面との間に形成される空間部分が外側ガス供給路９９を構成しており、外側ガス供給路９９の下端が環状の外側ガス吐出口９９ａとなっている。つまり、遮断部材９には、基板表面Ｗfの中央部に向けて窒素ガスを吐出するガス吐出口９８ａのほかに外側ガス吐出口９９ａが、リンス液吐出口９６ａ、溶剤吐出口９７ａおよびガス吐出口９８ａに対して径方向外側に、しかもリンス液吐出口９６ａ、溶剤吐出口９７ａおよびガス吐出口９８ａを取り囲むようにして設けられている。この外側ガス吐出口９９ａの開口面積はガス吐出口９８ａの開口面積に比較して遥かに大きく形成されている。このように、２種類のガス吐出口が遮断部材９に設けられているので、互いに流量および流速が異なる窒素ガスを各吐出口から吐出させることができる。例えば(1)基板表面Ｗfの周囲雰囲気を不活性ガス雰囲気に保つには、基板表面Ｗf上の液体を吹き飛ばすことのないように比較的大流量かつ低速で窒素ガスを供給することが望まれる。その一方で、(2)基板表面Ｗf上の低表面張力溶剤による溶剤層を基板表面Ｗfから除去する際には、基板Ｗの表面中央部に比較的小流量かつ高速で窒素ガスを供給することが望まれる。したがって、上記(1)の場合には、主として外側ガス吐出口９９ａから窒素ガスを吐出させることにより、上記(2)の場合には、主としてガス吐出口９８ａから窒素ガスを吐出させることにより、窒素ガスの用途に応じて適切な流量および流速で窒素ガスを基板表面Ｗfに向けて供給することができる。
【００３１】
また、内挿軸９５の先端（下端）は板状部材９０の下面９０ａと面一になっておらず、下面９０ａを含む同一平面から上方側に退避している（図３）。このような構成によれば、ガス吐出口９８ａから吐出された窒素ガスが基板表面Ｗfに到達するまでに該窒素ガスを拡散させ、窒素ガスの流速をある程度減少させることができる。すなわち、ガス吐出口９８ａからの窒素ガスの流速が速すぎると、外側ガス吐出口９９ａからの窒素ガスと互いに干渉して基板表面Ｗf上の低表面張力溶剤による溶剤層を基板Ｗから排出することが困難となる。その結果、基板表面Ｗf上に液滴が残ってしまう。これに対して、上記構成によれば、ガス吐出口９８ａからの窒素ガスの流速が緩和され、基板表面Ｗf上の低表面張力溶剤による溶剤層を確実に基板Ｗから排出することができる。
【００３２】
図１に戻って説明を続ける。リンス液供給路９６の上端部は、リンス液供給ユニット８に接続されている。リンス液供給ユニット８は、その一端が工場のユーティリティ等で構成されるＤＩＷ供給源（図示省略）に接続されたリンス液供給管８５を備えており、リンス液供給管８５の他端はリンス液バルブ８３に接続されている。このような構成を有するリンス液供給ユニット８は、リンス液バルブ８３が開かれることによりリンス液吐出口９６ａからＤＩＷをリンス液として吐出可能となっている。この実施形態では、リンス液たるＤＩＷが本発明の「処理液」に相当しており、リンス液供給ユニット８が本発明の「処理液供給手段」として機能している。
【００３３】
また、溶剤供給路９７の上端部は、本発明の「溶剤供給手段」として機能する溶剤供給ユニット７に接続されている。溶剤供給ユニット７は、低表面張力溶剤を生成するためのキャビネット部７０を備え、キャビネット部７０にて生成された低表面張力溶剤を溶剤供給路９７に圧送可能となっている。有機溶媒成分としては、ＤＩＷ（表面張力：７２ｍＮ／ｍ）に溶解して表面張力を低下させる物質、例えばイソプロピルアルコール（表面張力：２１〜２３ｍＮ／ｍ）が用いられる。なお、有機溶媒成分はイソプロピルアルコールに限定されず、エチルアルコール、メチルアルコールの各種有機溶媒成分を用いるようにしてもよい。また、有機溶媒成分は液体に限らず、各種アルコールの蒸気を有機溶媒成分としてＤＩＷに溶解させて低表面張力溶剤を生成するようにしてもよい。
【００３４】
キャビネット部７０は、低表面張力溶剤を貯留する貯留タンク７２を備えている。この貯留タンク７２には貯留タンク７２内にＤＩＷを供給するためのＤＩＷ導入管７３の一端が取り込まれており、その他方端が開閉バルブ７３ａを介してＤＩＷ供給源に接続されている。さらに、ＤＩＷ導入管７３の経路途中には流量計７３ｂが介装されており、流量計７３ｂがＤＩＷ供給源から貯留タンク７２に導入されるＤＩＷの流量を計測する。そして、制御ユニット４は、流量計７３ｂで計測される流量に基づき、ＤＩＷ導入管７３を流通するＤＩＷの流量を目標の流量（目標値）にするように、開閉バルブ７３ａを開閉制御する。
【００３５】
同様にして、貯留タンク７２には貯留タンク７２内にＩＰＡ液体を供給するためのＩＰＡ導入管７４の一端が取り込まれており、その他方端が開閉バルブ７４ａを介してＩＰＡ供給源に接続されている。さらに、ＩＰＡ導入管７４の経路途中には流量計７４ｂが介装されており、流量計７４ｂがＩＰＡ供給源から貯留タンク７２に導入されるＩＰＡ液体の流量を計測する。そして、制御ユニット４は流量計７４ｂで計測される流量に基づき、ＩＰＡ導入管７４を流通するＩＰＡ液体の流量を目標の流量（目標値）にするように開閉バルブ７４ａを開閉制御する。
【００３６】
この実施形態では、低表面張力溶剤中のＩＰＡの体積百分率（以下「ＩＰＡ濃度」という）を調整可能となっている、つまり１００％のＩＰＡを低表面張力溶剤として供給することも、あるいはＩＰＡとＤＩＷを混合した混合液を低表面張力溶剤として供給することも可能となっている。なお、常に１００％のＩＰＡを低表面張力溶剤として用いる場合には、次に説明する溶剤バルブ７６を介してＩＰＡを直接供給するように構成してもよい。
【００３７】
貯留タンク７２には、その一端が溶剤供給路９７に接続された溶剤供給管７５の他端が挿入され、貯留タンク７２に貯留されている低表面張力溶剤を溶剤バルブ７６を介して溶剤供給路９７に供給可能に構成されている。溶剤供給管７５には、貯留タンク７２に貯留されている低表面張力溶剤を溶剤供給管７５に送り出す定量ポンプ７７や、定量ポンプ７７により溶剤供給管７５に送り出される低表面張力溶剤の温度を調整する温調器７８、低表面張力溶剤中の異物を除去するフィルタ７９が設けられている。さらに、溶剤供給管７５にはＩＰＡ濃度を監視するための濃度計８０が介装されている。
【００３８】
また、溶剤供給管７５には、溶剤バルブ７６と濃度計８０との間に溶剤循環管８１の一端が分岐接続される一方、溶剤循環管８１の他端が貯留タンク７２に接続されている。この溶剤循環管８１には循環用バルブ８２が介装されている。そして、装置の稼動中は、定量ポンプ７７および温調器７８が常に駆動され、基板Ｗに低表面張力溶剤を供給しない間は、溶剤バルブ７６が閉じられる一方、循環用バルブ８２が開かれる。これにより、貯留タンク７２から定量ポンプ７７により送り出される低表面張力溶剤が溶剤循環管８１を通じて貯留タンク７２に戻される。つまり、基板Ｗに低表面張力溶剤を供給しない間は、貯留タンク７２、溶剤供給管７５および溶剤循環管８１からなる循環経路を低表面張力溶剤が循環する。その一方で、基板Ｗに低表面張力溶剤を供給するタイミングになると、溶剤バルブ７６が開かれる一方、循環用バルブ８２が閉じられる。これにより、貯留タンク７２から送り出される低表面張力溶剤が溶剤供給路９７に供給される。このように、基板Ｗに低表面張力溶剤を供給しない間は、低表面張力溶剤を循環させておくことによって、ＤＩＷとＩＰＡとが攪拌され、ＤＩＷとＩＰＡとを十分に混ざり合った状態とすることができる。また、溶剤バルブ７６の開成後、所定の温度に調整されるとともに、異物が除去された低表面張力溶剤を速やかに溶剤供給路９７に供給することができる。
【００３９】
ガス供給路９８および外側ガス供給路９９の上端部はそれぞれ、ガス供給ユニット１８（図２）と接続されており、制御ユニット４の動作指令に応じてガス供給ユニット１８からガス供給路９８および外側ガス供給路９９に個別に窒素ガスを圧送可能となっている。これにより、対向位置に位置決めされた遮断部材９（板状部材９０）と基板表面Ｗfとの間に形成される間隙空間ＳＰに窒素ガスを供給することができる。
【００４０】
ケーシング２の周囲には、受け部材２１が固定的に取り付けられている。受け部材２１には、円筒状の仕切り部材２３ａ，２３ｂ，２３ｃが立設されている。ケーシング２の外壁と仕切り部材２３ａの内壁との間の空間が第１排液槽２５ａを形成し、仕切り部材２３ａの外壁と仕切り部材２３ｂの内壁との間の空間が第２排液槽２５ｂを形成し、仕切り部材２３ｂの外壁と仕切り部材２３ｃの内壁との間の空間が第３排液槽２５ｃを形成している。
【００４１】
第１排液槽２５ａ、第２排液槽２５ｂおよび第３排液槽２５ｃの底部にはそれぞれ、排出口２７ａ，２７ｂ，２７ｃが形成されており、各排出口は相互に異なるドレインに接続されている。例えばこの実施形態では、第１排液槽２５ａは使用済みの薬液を回収するための槽であり、薬液を回収して再利用するための回収ドレインに連通されている。また、第２排液槽２５ｂは使用済みのリンス液を排液するための槽であり、廃棄処理のための廃棄ドレインに連通されている。さらに、第３排液槽２５ｃは使用済みの低表面張力溶剤を排液するための槽であり、廃棄処理のための廃棄ドレインに連通されている。
【００４２】
各排液槽２５ａ〜２５ｃの上方にはスプラッシュガード６が設けられている。スプラッシュガード６はスピンチャック１に水平姿勢で保持されている基板Ｗの周囲を包囲するようにスピンチャック１の回転軸Ｊに対して昇降自在に設けられている。このスプラッシュガード６は回転軸Ｊに対して略回転対称な形状を有しており、スピンチャック１と同心円状に径方向内側から外側に向かって配置された３つのガード６１，６２，６３を備えている。３つのガード６１，６２，６３は、最外部のガード６３から最内部のガード６１に向かって、順に高さが低くなるように設けられるとともに、各ガード６１，６２，６３の上端部が鉛直方向に延びる面内に収まるように配置されている。
【００４３】
スプラッシュガード６は、ガード昇降機構６５と接続され、制御ユニット４からの動作指令に応じてガード昇降機構６５の昇降駆動用アクチェータ（例えばエアシリンダーなど）を作動させることで、スプラッシュガード６をスピンチャック１に対して昇降させることが可能となっている。この実施形態では、ガード昇降機構６５の駆動によりスプラッシュガード６を段階的に昇降させることで、回転する基板Ｗから飛散する処理液を第１〜第３排液槽２５ａ〜２５ｃに分別して排液させることが可能となっている。
【００４４】
ガード６１の上部には、断面くの字形で内方に開いた溝状の第１案内部６１ａが形成されている。そして、薬液処理時にスプラッシュガード６を最も高い位置（以下「第１高さ位置」という）に位置させることで、回転する基板Ｗから飛散する薬液が第１案内部６１ａで受け止められ、第１排液槽２５ａに案内される。具体的には、第１高さ位置として、第１案内部６１ａがスピンチャック１に保持された基板Ｗの周囲を取り囲むようにスプラッシュガード６を配置させることで、回転する基板Ｗから飛散する薬液がガード６１を介して第１排液槽２５ａに案内される。
【００４５】
また、ガード６２の上部には、径方向外側から内側に向かって斜め上方に傾斜した傾斜部６２ａが形成されている。そして、リンス処理時にスプラッシュガード６を第１高さ位置よりも低い位置（以下「第２高さ位置」という）に位置させることで、回転する基板Ｗから飛散するリンス液が傾斜部６２ａで受け止められ、第３排液槽２５ｂに案内される。具体的には、第２高さ位置として、傾斜部６２ａがスピンチャック１に保持された基板Ｗの周囲を取り囲むようにスプラッシュガード６を配置させることで、回転する基板Ｗから飛散するリンス液がガード６１の上端部とガード６２の上端部との間を通り抜けて第２排液槽２５ｂに案内される。
【００４６】
同様にして、ガード６３の上部には、径方向外側から内側に向かって斜め上方に傾斜した傾斜部６３ａが形成されている。そして、置換処理時にスプラッシュガード６を第２高さ位置よりも低い位置（以下「第３高さ位置」という）に位置させることで、回転する基板Ｗから飛散する低表面張力溶剤が傾斜部６３ａで受け止められ、第２排液槽２５ｃに案内される。具体的には、第３高さ位置として、傾斜部６３ａがスピンチャック１に保持された基板Ｗの周囲を取り囲むようにスプラッシュガード６を配置させることで、回転する基板Ｗから飛散する低表面張力溶剤がガード６２の上端部とガード６３の上端部との間を通り抜けて第３排液槽２５ｃに案内される。
【００４７】
さらに、第３高さ位置よりも低い位置（以下「退避位置」という）に位置させて、スピンチャック１をスプラッシュガード６の上端部から突出させることで、基板搬送手段（図示せず）が未処理の基板Ｗをスピンチャック１に載置したり、処理済の基板Ｗをスピンチャック１から受け取ることが可能となっている。
【００４８】
次に、上記のように構成された基板処理装置の動作について図５ないし図７を参照しつつ詳述する。図５は基板処理装置の動作を示すフローチャートである。図６は図１の基板処理装置の動作を示すタイミングチャートである。また、図７は図１の基板処理装置の動作を示す模式図である。
【００４９】
この装置では、本発明の「制御手段」として機能する制御ユニット４が、メモリ（図示省略）に記憶されているプログラムにしたがって装置各部を制御して、基板Ｗに対し図５に示す一連の処理を施す。すなわち、制御ユニット４はスプラッシュガード６を退避位置に位置させて、スピンチャック１をスプラッシュガード６の上端部から突出させる。そして、この状態で基板搬送手段（図示せず）により未処理の基板Ｗが装置内に搬入されると、基板Ｗに対して、薬液処理、リンス処理、パドル形成処理、溶剤供給処理、攪拌処理、置換処理および乾燥処理の各工程を含む洗浄処理を実行する。基板表面Ｗfには例えばｐｏｌｙ−Ｓｉからなる微細パターンが形成されている。この実施形態では、基板表面Ｗfを上方に向けた状態で基板Ｗが装置内に搬入され、スピンチャック１に保持される（ステップＳ１０１）。なお、遮断部材９はスピンチャック１の上方の離間位置にあり、基板Ｗとの干渉を防止している。
【００５０】
基板搬入後、制御ユニット４はスプラッシュガード６を第１高さ位置（図１に示す位置）に配置して、基板Ｗに対して薬液処理を実行する。すなわち、薬液吐出ノズル３を吐出位置に移動させるとともに、チャック回転機構１３の駆動によりスピンチャック１に保持された基板Ｗを２００〜１２００ｒｐｍの範囲内で定められる所定の回転速度（例えば８００ｒｐｍ）で回転させる（ステップＳ１０２）。そして、薬液バルブ３１を開いて薬液吐出ノズル３から基板表面Ｗfに薬液としてフッ酸を供給する（ＨＦ供給）。基板表面Ｗfに供給されたフッ酸は遠心力により広げられ、基板表面Ｗf全体がフッ酸により薬液処理される（ステップＳ１０３）。基板Ｗから振り切られたフッ酸は第１排液槽２５ａに案内され、適宜再利用される。
【００５１】
薬液処理が終了すると、薬液吐出ノズル３が待機位置に移動される。そして、スプラッシュガード６が第２高さ位置に配置され、基板Ｗに対して本発明の「湿式処理」としてリンス処理が実行される。すなわち、基板Ｗの回転速度を第１速度、例えば６００ｒｐｍとし（ステップＳ１０４）、リンス液バルブ８３を開いて、離間位置に位置する遮断部材９のリンス液吐出口９６ａからリンス液を吐出させる（ステップＳ１０５；図７（ａ）；ＤＩＷ供給）。また、リンス液の吐出と同時に遮断部材９を対向位置に向けて下降させ、該対向位置に位置決めする。このように、薬液処理後、すぐに基板表面Ｗfにリンス液を供給することで基板表面Ｗfを継続して濡れた状態としておく。これは次のような理由による。
【００５２】
すなわち、薬液処理後、フッ酸が基板Ｗから振り切られると、基板表面Ｗfの乾燥がはじまる。その結果、基板表面Ｗfが部分的に乾燥し、基板表面Ｗfにシミ等が発生することがある。したがって、このような基板表面Ｗfの部分的な乾燥を防止するため、基板表面Ｗfを濡れた状態としておくことが重要となっている。また、遮断部材９のガス吐出口９８ａおよび外側ガス吐出口９９ａから窒素ガスを吐出させる。ここでは、主として外側ガス吐出口９９ａから窒素ガスを吐出させる。つまり、外側ガス吐出口９９ａから比較的大流量の窒素ガスを吐出させる一方、ガス吐出口９８ａから吐出させる窒素ガスの流量が微小量となるように、両吐出口から吐出させる窒素ガスの流量バランスを調整する。
【００５３】
リンス液吐出口９６ａから基板表面Ｗfに供給されたリンス液は基板Ｗの回転に伴う遠心力により広げられ、基板表面Ｗf全体がリンス処理される（湿式処理工程）。つまり、基板表面Ｗfに残留付着するフッ酸が本発明の処理液に相当するリンス液によって洗い流され基板表面Ｗfから除去される。基板Ｗから振り切られた使用済みのリンス液は第２排液槽２５ｂに案内され、廃棄される。また、間隙空間ＳＰに窒素ガスが供給されることで基板表面Ｗfの周囲雰囲気が低酸素濃度雰囲気に保たれている。このため、リンス液の溶存酸素濃度の上昇を抑制することができる。
【００５４】
また、上記したリンス処理および後述の処理（パドル形成処理、溶剤供給処理、攪拌処理、置換処理および乾燥処理）を実行する際には、遮断部材９の板状部材９０を基板Ｗと同じ回転方向でかつ略同じ回転速度で回転させる。これにより、板状部材９０の下面９０ａと基板表面Ｗfとの間に相対的な回転速度差が発生するのを防止して、間隙空間ＳＰに巻き込み気流が発生するのを抑制することができる。このため、ミスト状のリンス液および低表面張力溶剤が間隙空間ＳＰに侵入して基板表面Ｗfに付着するのを防止できる。また、板状部材９０を回転させることで下面９０ａに付着するリンス液や低表面張力溶剤を振り切り、下面９０ａにリンス液や低表面張力溶剤が滞留するのを防止できる。
【００５５】
所定時間のリンス処理が終了すると、次にパドル形成処理が実行される。すなわち、制御ユニット４は、基板Ｗの回転速度を第１速度よりも遅い第２速度に減速する（ステップＳ１０６）。これによって、リンス液吐出口９６ａから吐出されるリンス液が基板表面Ｗfに溜められてＤＩＷ液膜がパドル状に形成される（パドル形成処理）。この実施形態では、制御ユニット４は第２速度を１０ｒｐｍに設定し、９秒間だけリンス液の供給を継続させた後、リンス液バルブ８３を閉じてリンス液吐出口９６ａからのリンス液の吐出を停止させる（ステップＳ１０７）。これによって、図７（ｂ）に示すように、ＤＩＷ液膜が形成される。なお、第２速度は１０ｒｐｍに限定されるものではないが、リンス液に作用する遠心力がリンス液と基板表面Ｗfとの間で作用する表面張力よりも小さくなるという条件が満足する範囲で第２速度を設定する必要がある。というのも、リンス液の液膜をパドル状に形成するためには、上記条件の充足が必須だからである。
【００５６】
そして、ＤＩＷ供給停止後、パドル状ＤＩＷ液膜の膜厚Ｔ1が基板Ｗの全面でほぼ均一になるまでの所定時間が経過するのを待って、制御ユニット４はスプラッシュガード６を第３高さ位置に配置するとともに、溶剤バルブ７６を開いて溶剤吐出口９７ａから低表面張力溶剤を吐出させる（溶剤供給処理）。ＩＰＡの流量は、例えば１００（ｍＬ／ｍｉｎ）程度の低流量とする。溶剤バルブ７６を開いて所定時間ｔ1を経過すると溶剤バルブ７６はいったん閉じられる（ステップＳ１０８）。これにより、図７（ｃ）に示すように、基板Ｗの表面中央部ではＤＩＷ液膜の中央部がＩＰＡに置換されて置換領域ＳＲが液膜に形成される。溶剤バルブ７６を開く時間ｔ1については、例えば基板Ｗ上に供給されるＩＰＡの総量が基板表面Ｗf上に溜められたＤＩＷ量と同程度となるまでの時間とすることができるが、これに限定されるものではない。
【００５７】
ＩＰＡの供給停止後、または停止とほぼ同時に、制御ユニット４は基板の回転を加速させて回転速度を第２速度よりも高速の第３速度に変更する（ステップＳ１０９）。第３速度は、例えば４０ｒｐｍに設定される。これによって、基板Ｗ上の液膜が大きく流動してＩＰＡが基板Ｗ全面に行き渡り、基板Ｗ上においてＤＩＷとＩＰＡとが攪拌・混合される（攪拌処理）。その結果、図７（ｄ）に示すように、基板表面Ｗfの液膜はＤＩＷとＩＰＡとが混じり合ったものとなる。また、表面張力の低いＩＰＡが添加されたことおよび回転速度が上昇したことにより、基板Ｗ上のＤＩＷ液膜の厚さは当初の膜厚Ｔ1よりも小さな値Ｔ2に変化する。
【００５８】
こうしてＩＰＡを供給せずに基板を回転させる攪拌処理を所定時間ｔ2行った後、制御ユニット４は供給バルブ７６を開いてＩＰＡ供給を再開する（ステップＳ１１０）。このときのＩＰＡ流量は特に限定されないが、前記した溶剤供給処理（ステップＳ１０８）と同じ流量とすれば、流量の変更を必要とせず装置構成およびその制御が簡単となる点で好ましい。また、攪拌処理の継続時間ｔ2については、回転により基板Ｗ上から液体が流出することに起因して液膜が途切れ基板表面Ｗfが露出するよりも前にＩＰＡの供給が再開されるような値に設定されることが望ましい。攪拌処理における回転速度を４０ｒｐｍとした本実施形態の場合、基板表面Ｗfの状態にも依存するが、攪拌処理の時間ｔ2を例えば５ないし１０秒程度とすることができる。
【００５９】
また、パドル状の液膜が基板Ｗ上に形成された状態でも、基板Ｗを回転させることにより基板上の液体は少しずつ流出しているので、ＤＩＷの供給を停止してから置換処理を開始するまでの時間ｔ3もできるだけ短くすることが好ましい。例えば第２速度が１０ｒｐｍのとき、この時間ｔ3を１０秒程度とすることが好ましい。
【００６０】
なお、攪拌処理においては、ＩＰＡを供給せずに所定時間基板を回転させることが最も重要な事項であって、パドル形成処理時から回転速度を変化させることは必須の事項ではない。したがって、図６のタイミングチャートにおいて点線で示したように、攪拌処理の実行中、パドル形成処理時と同じ回転速度（１０ｒｐｍ）を維持するようにしてもよい。ただし、本実施形態のように回転速度を高くすることは、攪拌の効果を高めたり処理時間の短縮を図れるという点で好ましい。この場合において、基板Ｗ上のＤＩＷ液膜にＩＰＡを供給する際には回転速度をパドル形成処理時と同じにしておき、ＩＰＡ供給後に回転速度を上げることがより好ましい。ＩＰＡ供給前に回転速度を高くすると液膜が途切れ基板表面Ｗfが部分的に露出するおそれが高まるが、予めＩＰＡを添加し液膜の表面張力を低下させることで、このような問題が起きにくくなるからである。さらに、パドル状の液膜が途切れない範囲で、回転速度を多段階または連続的に変化させたり、加速と減速とを交互に行うようにしてもよい。
【００６１】
ＩＰＡ供給再開から所定時間、例えば３秒が経過すると、制御ユニット４はＩＰＡ供給を継続させたまま基板Ｗの回転速度を４０ｒｐｍから３００ｒｐｍに加速する（ステップＳ１１１）。これによって、基板表面Ｗfの全面が低表面張力溶剤に置換される（置換処理）。この実施形態では、基板Ｗの回転速度を２段階（４０〜１００ｒｐｍ、１００〜３００ｒｐｍ）で加速することにより、基板表面Ｗfに形成されたパターンの奥部に残留するＤＩＷまで確実にＩＰＡに置換し、残留ＤＩＷに起因する基板表面Ｗfにおけるパターン倒壊を確実に防止することができるようにしている。なお、基板Ｗから振り切られた使用済みのＩＰＡは第３排液槽２５ｃに案内され、廃棄される。
【００６２】
こうして、置換処理が完了すると、制御ユニット４はＩＰＡの供給を停止させ（ステップＳ１１２）、チャック回転機構１３の回転速度を高めて基板Ｗを高速回転（例えば１０００ｒｐｍ）させる（ステップＳ１１３）。これにより、基板表面Ｗfに付着するＩＰＡが振り切られ、基板Ｗの乾燥処理（スピンドライ）が実行される（乾燥処理）。このとき、パターンの間隙には低表面張力溶剤が入り込んでいるので、パターン倒壊やウォーターマーク発生を防止できる。また、間隙空間ＳＰはガス吐出口９８ａおよび外側ガス吐出口９９ａから供給される窒素ガスで満たされていることから、乾燥時間を短縮するとともに基板Ｗに付着する液体成分（低表面張力溶剤）への被酸化物質の溶出を低減してウォーターマークの発生をさらに効果的に抑制することができる。基板Ｗの乾燥処理が終了すると、制御ユニット４はチャック回転機構１３を制御して基板Ｗの回転を停止させる。そして、スプラッシュガード６を退避位置に位置させて、スピンチャック１をスプラッシュガード６の上方から突出させる。その後、基板搬送手段が処理済の基板Ｗを装置から搬出して（ステップＳ１１４）、１枚の基板Ｗに対する一連の洗浄処理が終了する。
【００６３】
上記した一連の処理が有する作用効果について、図８を参照してより詳しく説明する。図８は本実施形態の処理における基板上での現象を示す模式図である。上記処理の処理対象である基板Ｗがその表面Ｗfに微細パターンが形成されたものであるとき、リンス処理およびパドル形成処理が終了した時点では、図８（ａ）に示すように、微細パターンＦＰの間隙内部にまでリンス液であるＤＩＷが入り込んでいる。続く溶剤供給処理において基板表面ＷfにＩＰＡを供給した直後では、ＤＩＷとＩＰＡとは直ちに混じり合うわけではないので、図８（ｂ）に示すように、微細パターンＦＰの間隙内部にＤＩＷが残留していることがある。このままＩＰＡ供給を継続したとしても、短時間で微細パターンＦＰの間隙内部にまでＩＰＡを行き渡らせることは難しい。
【００６４】
そこで、この実施形態では、所定量のＩＰＡを供給した後、ＩＰＡの供給を伴わずに一定時間基板の回転を継続する攪拌処理を実行する。攪拌処理を行うことにより、図８（ｃ）に示すように、パターンの間隙内部に残留していたＤＩＷが次第にＩＰＡに溶け込んでゆく。攪拌処理の目的は、ＩＰＡとＤＩＷとを馴染ませて後の置換処理をスムーズに行う点にある。したがって、予め基板Ｗ上に所定量のＩＰＡを供給しておけば、ＩＰＡとＤＩＷとが十分に馴染むまでの間にＩＰＡ供給を継続することは無意味であるばかりか、むしろＩＰＡを無駄に消費してしまうという弊害がある。この実施形態では、ＩＰＡの供給を停止した状態で攪拌処理を行っているので、このような無駄を抑えてＩＰＡの使用量を少なくすることができる。
【００６５】
続いて行う置換処理では、基板Ｗ上に残留していたＤＩＷがＩＰＡ内に十分に溶け込んだ状態で、さらにＩＰＡを追加供給しながら基板の回転速度を高める。このため、ＤＩＷを含んだＩＰＡは基板の外周部から振り切られて、図８（ｄ）に示すように、最終的には基板表面Ｗfの全面がＩＰＡ液膜によって覆われることとなる。
【００６６】
以上のように、この実施形態によれば、基板Ｗを回転させながらリンス液であるＤＩＷを供給してリンス処理を行った後、いったん回転速度を低下させて（この実施形態では１０ｒｐｍ）ＤＩＷによるパドル状の液膜を形成する。その後、所定量のＩＰＡを液膜に加えた状態で基板を回転させることにより、基板W上でのＤＩＷとＩＰＡとの攪拌・混合を促進させる。こうして十分に攪拌された液膜に対し、さらにＩＰＡを供給して置換処理を行うことにより、ＩＰＡによる基板Ｗ上のＤＩＷの置換を効率よく、確実に、しかも少ないＩＰＡ使用量にて行うことができる。
【００６７】
また、攪拌処理において回転速度を高めることにより、攪拌をより促進させ全体の処理時間を短縮することができる。この場合、基板Ｗ上のＤＩＷ液膜にＩＰＡを添加してから回転速度を上げることにより、液膜が途切れて基板表面Ｗfが露出するのを未然に防止することができる。逆に言えば、予めＤＩＷ液膜にＩＰＡを添加しておくことにより、液膜が途切れるリスクを増大させることなく回転速度を上げることができる。
【００６８】
また、基板Ｗ上の液膜をより確実に低表面張力の低いＩＰＡに置換させて乾燥させることにより、残留ＤＩＷによるウォーターマークやシミ、パターン倒壊等の欠陥の発生を確実に防止することができる。
【００６９】
なお、本発明は上記した実施形態に限定されるものではなく、その趣旨を逸脱しない限りにおいて上述したもの以外に種々の変更を行うことが可能である。例えば、上記実施形態では攪拌処理において基板の回転速度を第２速度（１０ｒｐｍ）から第３速度（４０ｒｐｍ）まで加速しているが、前記したように、基板の回転速度を変化させることは本発明において必須の構成というわけではなく、第２速度で回転させたまま攪拌処理を行ってもよい。
【００７０】
また、上記実施形態では、置換処理において基板Ｗの回転速度を２段階に分けて加速しているが、このことは本発明において必須ではなく、１段階であるいは３段階以上に分けて加速してもよい。
【００７１】
また、上記実施形態では、ＩＰＡを低表面張力溶剤として用いているが、キャビネット部７０でＩＰＡとＤＩＷの混合液を作成し、これを低表面張力溶剤として用いてもよい。また、混合液の生成方法はこれに限定されない。例えば、ＤＩＷを遮断部材の液供給路（またはノズル）に向けて送液する送液経路上にインラインでＩＰＡ等の有機溶媒成分を混合させて混合液を生成してもよい。また、キャビネット部などの混合液生成手段は、基板処理装置内に設ける場合に限らず、基板処理装置とは別個に設けられた他の装置において生成した混合液を基板処理装置内に設けられた遮断部材を介して基板表面Ｗfに供給させてもよい。さらに、ＩＰＡなどの有機溶剤成分を含む溶剤に替えて界面活性剤を必須的に含む溶剤を用いてもよい。
【００７２】
また、上記実施形態では、リンス液としてＤＩＷを用いているが、炭酸水（ＤＩＷ＋ＣＯ2）など基板表面Ｗfに対して化学的洗浄作用を有しない成分を含んだ液体をリンス液として用いるようにしてもよい。この場合、基板表面Ｗfに付着しているリンス液と同一組成の液体（炭酸水）と有機溶媒成分とを混合したものを混合液として用いてもよい。また、リンス液として炭酸水を用いる一方で、混合液は炭酸水の主成分であるＤＩＷと有機溶媒成分とを混合したものを用いてもよい。さらに、リンス液としてＤＩＷを用いる一方で、混合液は炭酸水と有機溶媒成分とを混合したものを用いてもよい。要は、基板表面Ｗfに付着している液体と主成分が同一である液体と有機溶媒成分とを混合したものを混合液として用いればよい。また、リンス液としては、ＤＩＷ、炭酸水の他、水素水、希薄濃度（例えば１ｐｐｍ程度）のアンモニア水、希薄濃度の塩酸なども用いることができる。
【００７３】
また、上記実施形態では、フッ酸による薬液処理後の基板をリンスし乾燥させる処理に対して本発明を適用しているが、他の薬液によって処理された基板に対する処理に本発明を適用してもよい。ただし、本実施形態のように基板上にリンス液によるパドル状の液膜を形成して低表面張力溶剤に置換し乾燥させる処理は、特に基板の表面を疎水化する疎水化処理の後に水を主成分とするリンス液を用いてリンス処理を行う場合に有効なものであり、このような処理に本発明を適用することで特に顕著な効果を得ることが可能である。
【産業上の利用可能性】
【００７４】
この発明は、半導体ウエハ、フォトマスク用ガラス基板、液晶表示用ガラス基板、プラズマ表示用ガラス基板、ＦＥＤ（Field Emission Display）用基板、光ディスク用基板、磁気ディスク用基板、光磁気ディスク用基板などを含む基板全般の表面に対して乾燥処理を施す基板処理装置および基板処理方法に適用することができる。
【図面の簡単な説明】
【００７５】
【図１】この発明にかかる基板処理装置の一実施形態を示す図である。
【図２】図１の基板処理装置の主要な制御構成を示すブロック図である。
【図３】図１の基板処理装置に装備された遮断部材の要部を示す縦断面図である。
【図４】図３のＡ―Ａ’線断面図（横断面図）である。
【図５】基板処理装置の動作を示すフローチャートである。
【図６】図１の基板処理装置の動作を示すタイミングチャートである。
【図７】図１の基板処理装置の動作を示す模式図である。
【図８】本実施形態の処理における基板上での現象を示す模式図である。
【符号の説明】
【００７６】
１…スピンチャック
４…制御ユニット（制御手段）
７…溶剤供給ユニット（溶剤供給手段）
８…リンス液供給ユニット（処理液供給手段）
１３…チャック回転機構（基板回転手段）
１７…チャックピン（基板保持手段）
Ｊ…回転軸
ＳＲ…置換領域
Ｗf…基板表面
Ｗ…基板
【図１】
0005192853.tif 000002
【図２】
0005192853.tif 000003
【図３】
0005192853.tif 000004
【図４】
0005192853.tif 000005
【図５】
0005192853.tif 000006
【図６】
0005192853.tif 000007
【図７】
0005192853.tif 000008
【図８】
0005192853.tif 000009